(57)【要約】【課題】到着時刻の変動等による時機を逸したコールを抑制するコールシステム、コール発信装置、コール方法及びコール制御プログラムを提供する。【解決手段】移動通信端末１０とコール発信装置２０とが無線通信回線を介して接続されるコールシステム１において、コール発信装置のデータベース２３に予め目的地である基準地点Ａの基準位置情報を格納しておく。移動通信端末は、ＧＰＳを介して現在位置情報を取得しコール発信装置へ送信する。コール発信装置は、データベースで参照される基準位置情報と移動通信端末から送信される現在位置情報とを比較し、コールエリア内の基準地点に移動通信端末が近接したと判断すると移動通信端末をコールする。またコール発信装置は、コールと同時に利用者に指示したオペレーションがされないか又は不正確であるとき電子メールで他の利用者にこの異常を報知する。【選択図】図１
2010011394.tif 000002
【特許請求の範囲】
【請求項１】
利用者が所持する移動通信端末と、無線通信回線を介して前記移動通信端末と通信可能なコール発信装置とを備え、
前記コール発信装置は、
予め設定された目的地である基準地点の基準位置情報を記憶するデータベースと、
このデータベースに記憶された前記基準位置情報と前記移動通信端末から送信されてくる現在位置情報とを比較して、前記基準地点に前記移動通信端末が近接したか否かを判定する位置判定手段と、
前記基準地点に前記移動通信端末が近接したと前記位置判定手段が判定したとき、前記移動通信端末へコール指令信号を送信するコール指令送信手段と、を備えていることを特徴としたコールシステム。
【請求項２】
請求項１に記載のコールシステムにおいて、
前記位置判定手段は、受信した前記現在位置情報が示す前記移動通信端末の現地点と前記基準地点との間の地点間距離が前記データベースに予め記憶された通知開始距離以下であると判断した場合に、前記基準地点に前記移動通信端末が接近したと判定することを特徴としたコールシステム。
【請求項３】
請求項１に記載のコールシステムにおいて、
前記位置判定手段は、受信した前記現在位置情報が示す前記移動通信端末の現地点と前記基準地点との間の地点間距離が前記データベースに予め記憶された通知開始距離以下であり、かつ、現地点と前記基準地点との間の当該地点間距離が、前回受信した現在位置情報が示す地点と前記基準地点との間の距離に対して短いと判断した場合に、前記基準地点に前記移動通信端末が近接したと判定することを特徴としたコールシステム。
【請求項４】
請求項２に記載のコールシステムにおいて、
前記移動通信端末は、
前記現在位置情報を外部測位手段を介して取得する位置情報取得部と、
前記位置情報取得部が取得した現在位置情報を前記無線通信回線を介して前記コール発信装置へ送信する現在位置送信手段と、
前記コール発信装置から前記無線通信回線を介して送信されたコール指令信号を受信してコールをするコール稼働部と、を備えていることを特徴としたコールシステム。
【請求項５】
請求項３に記載のコールシステムにおいて、
前記移動通信端末は、
利用者により情報が操作入力される情報入力手段と、
前記情報入力手段を介して外部入力された前記基準位置情報を前記コール発信装置へ送信する設定情報送信手段と、を備えていることを特徴としたコールシステム。
【請求項６】
請求項３又は４に記載のコールシステムにおいて、
前記外部測位手段はＧＰＳであり、前記位置情報取得部は前記ＧＰＳから前記現在位置情報を取得することを特徴としたコールシステム。
【請求項７】
請求項１に記載のコールシステムにおいて、
前記移動通信端末は、
前記コール発信装置から送信されてくるオペレーション指示情報を表示するディスプレイと、
利用者により情報が操作入力される情報入力手段を介して外部入力されたオペレーション実情報を前記コール発信装置へ送信する実オペレーション送信手段と、を備え、
前記コール発信装置は、
前記コール指令信号を送信した後に前記移動通信端末に対して前記オペレーション指示情報を送信する指示オペレーション送信手段と、
前記移動通信端末から受信した前記オペレーション実情報と前記データベースに記憶された前記オペレーション指示情報とを比較するオペレーション判定手段と、
前記オペレーション実情報と前記オペレーション指示情報とが一致しないとき、予め前記データベースに記憶されているアドレス先に異常を報知する異常報知手段と、を備えていることを特徴としたコールシステム。
【請求項８】
請求項７に記載のコールシステムにおいて、
前記異常報知手段は、前記データベースに予め記憶されている動作開始時刻から一定時間内に前記移動通信端末から前記現在位置情報を受信できなかったとき、前記データベースに予め記憶されているアドレス先に異常を報知することを特徴としたコールシステム。
【請求項９】
請求項７に記載のコールシステムにおいて、
前記異常報知手段は、前記指示オペレーション送信手段が前記オペレーション指示情報を前記移動通信端末に送信した後、一定時間内にこの移動通信端末から前記オペレーション実情報を受信できなかったとき、前記データベースに予め記憶されているアドレス先に異常を報知することを特徴としたコールシステム。
【請求項１０】
請求項７乃至９の何れかに記載のコールシステムにおいて、
前記異常報知手段は、前記アドレス先に電子メールで異常を報知することを特徴としたコールシステム。
【請求項１１】
予め設定される基準地点の基準位置情報を記憶するデータベースと、
無線通信回線を介して移動通信端末から送信されてくる現在位置情報と前記データベースに記憶された前記基準位置情報とを比較して、前記基準地点に前記移動通信端末が近接したか否かを判定する位置判定手段と、
前記基準地点に前記移動通信端末が近接したと前記位置判定手段が判定したとき、前記移動通信端末へコール指令信号を送信してコールをさせるコール送信手段と、を備えていることを特徴としたコール発信装置。
【請求項１２】
請求項１１に記載のコール発信装置において、
前記コール指令信号を送信した後に前記移動通信端末に対してオペレーション指示情報を送信する指示オペレーション送信手段と、
前記移動通信端末から受信したオペレーション実情報と前記データベースに記憶された前記オペレーション指示情報とを比較するオペレーション判定手段と、
前記オペレーション実情報と前記オペレーション指示情報とが一致しないとき、前記データベースに予め記憶されているアドレス先に異常を報知する異常報知手段と、を備えたことを特徴としたコール発信装置。
【請求項１３】
移動通信端末から送られてくる現在位置情報を固定位置にあるコール発信装置側で受信するとともに、この受信した現在位置情報と予め設定された前記移動通信端末の移動先目的地である基準地点の基準位置情報とに基づいて前記移動通信端末と前記基準地点相互間の地点間距離を算定し、
この算定された前記地点間距離が予め設定された通知開始距離よりも小さくなったか否かを前記コール発信装置側で比較判定し、
その後、前記地点間距離が前記通知開始距離よりも小さくなった場合に、前記移動通信端末が備えているコール稼働部を直ちに作動させるためのコール指令信号を前記移動通信端末に対して発信するように構成したことを特徴とするコール方法。
【請求項１４】
請求項１３に記載のコール方法において、
前記基準地点の基準位置情報は、前記移動通信端末から移動前に予め送り込まれ、かつ、前記コール発信装置側のデータベースに保持されていることを特徴としたコール方法。
【請求項１５】
請求項１３又は１４に記載のコール方法において、
前記移動通信端末に当該端末の動作開始時刻が外部から設定入力された場合に、前記現在位置情報の発信に先立って、前記移動通信端末は当該端末の動作開始時刻を前記コール発信装置に発信するとともに、
この移動通信端末の動作開始時刻経過後に、前記現在位置情報が前記移動通信端末から発信されるように構成したことを特徴とするコール方法。
【請求項１６】
予め設定される基準地点の基準位置情報を記憶するデータベースを備えたコール発信装置にあって、
無線通信回線を介して移動通信端末から送信されてくる現在位置情報を受信処理する手段と、
受信した前記現在位置情報と前記データベースに記憶された前記基準位置情報とを比較する手段と、
前記基準地点に前記移動通信端末が近接したと判定したとき、前記移動通信端末へコール指令信号を送信制御してコールをさせる手段とを、
前記コール発信装置に備えられるコンピュータに実現させることを特徴としたコール制御プログラム。
【請求項１７】
請求項１６に記載のコール制御プログラムにおいて、
前記コール指令信号を送信した後に前記移動通信端末に対してオペレーション指示情報を送信制御する手段と、
前記移動通信端末から受信したオペレーション実情報と前記データベースに記憶された前記オペレーション指示情報とを比較する手段と、
前記オペレーション実情報と前記オペレーション指示情報とが一致しないとき、前記データベースに記憶されたアドレス先に異常を報知制御する手段とを、
前記コンピュータに実現させることを特徴としたコール制御プログラム。
【発明の詳細な説明】
【技術分野】
【０００１】
本発明は、移動通信端末にコールを出力させるためのコールシステム、コール発信装置、コール方法及びコール制御プログラムに関する。
【背景技術】
【０００２】
従来より、ある地理的なエリア内に特定の利用者が居るか居ないか、または所定の目的地に利用者が接近中であるか否かを判別して、その目的地に到達する時刻を予測計算する到着予知システムが知られている（例えば特許文献１及び特許文献２参照）。
【０００３】
かかるシステムは、それぞれの利用者が所持する携帯電話のＧＰＳ（Global Positioning System）機能を用いて利用者の現在の位置情報を取得し、ある施設内の制御装置に対し現地点の位置情報を無線送信することにより、利用者がその施設に到着するに合わせて制御装置が空調温度等を予め調節するといったサービスの提供を可能にするものである。
【０００４】
一方、利用者へその位置に基づく情報を提供することを可能にする関連技術としては、利用者が所持する移動端末が取得した位置情報と時刻情報を受信して、これらの情報に基づき特定される配信情報を当該移動端末に配信する情報配信システムが開示されている（例えば特許文献３参照）。
【０００５】
また、情報を移動通信端末に配信する他の関連する技術として、遠隔地においてモニタリングしている計測対象物において異常が発生した場合に、その旨を電子メールで携帯端末に通知する通知装置が公知である（例えば特許文献４参照）。
【特許文献１】特開２００２−１４２２７０号公報
【特許文献２】特開２００５−２９５１６０号公報
【特許文献３】特開２００３−０９９４４９号公報
【特許文献４】特開２００５−２１５７３１号公報
【発明の開示】
【発明が解決しようとする課題】
【０００６】
従来、携帯電話等において用いられている時計付のアラーム機能によれば、設定された時刻にのみアラームが起動されるため、利用者が予定の時刻よりも早くまたは遅れて目的地に到着すると、その到着の前後でアラームが鳴ってしまい所望の目的を果たせない場合が多かった。
【０００７】
また、上記特許文献１及び２に記載の関連技術にあっては、外出先における利用者の現在位置に基づく情報をその利用者に通知する手段を有しておらず、目的地に到着する前にコールするという目的を果たすことができなかった。
また、特許文献３に記載される情報配信装置においては、利用者が予定時刻に特定の場所に居ることを前提に情報が配信されるため、到着時刻の変動によっては情報が配信されない場合があった。
【０００８】
また、特許文献４に記載の電子メールで異常を知らせる関連技術を応用したとしても、例えば利用者が熟睡してしまってアラームに適切に反応できない等の状況下でその異常を第三者に知らせる手段としての課題を解決するものではなかった。
【０００９】
本発明は、上記不都合を改善するためになされたものであり、利用者の到着時刻の変動等による時機を逸した不要なコールを排除し、移動通信端末側にとって適切なコール指令を可能とするコールシステム、コール発信装置、コール方法及びコール制御プログラムを提供することを、その目的とする。
【課題を解決するための手段】
【００１０】
上述した課題を解決するため、本発明のコールシステムは、利用者が所持する移動通信端末と、無線通信回線を介して前記移動通信端末と通信可能に接続されるコール発信装置とを備え、前記コール発信装置は、予め設定された目的地である基準地点の基準位置情報を記憶するデータベースと、前記データベースに記憶された前記基準位置情報と前記移動通信端末から送信されてくる現在位置情報とを比較して、前記基準地点に前記移動通信端末が近接したか否かを判定する位置判定手段と、前記基準地点に前記移動通信端末が近接したと前記位置判定手段が判定したとき、前記移動通信端末へコール指令信号を送信するコール指令送信手段と、を備えている。
【００１１】
また、本発明のコール発信装置は、予め設定される基準地点の基準位置情報を記憶するデータベースと、無線通信回線を介して移動通信端末から送信されてくる現在位置情報と前記データベースに記憶された前記基準位置情報とを比較して、前記基準地点に前記移動通信端末が近接したか否かを判定する位置判定手段と、前記基準地点に前記移動通信端末が近接したと前記位置判定手段が判定したとき、前記移動通信端末へコール指令信号を送信してコールをさせるコール送信手段と、を備えている。
【００１２】
また、本発明のコール方法は、移動通信端末から送られてくる現在位置情報を固定位置にあるコール発信装置側で受信するとともに、この受信した現在位置情報と予め設定された前記移動通信端末の移動先目的地である基準地点の基準位置情報とに基づいて前記移動通信端末と前記基準地点相互間の地点間距離を算定し、この算定された前記地点間距離が予め設定された通知開始距離よりも小さくなったか否かを前記コール発信装置側で比較判定し、その後、前記地点間距離が前記通知開始距離よりも小さくなった場合に、前記移動通信端末が備えているコール稼働部を直ちに作動させるためのコール指令信号を前記移動通信端末に対して発信するように構成した。
【００１３】
また、本発明のコール制御プログラムは、予め設定される基準地点の基準位置情報を記憶するデータベースを備えたコール発信装置にあって、無線通信回線を介して移動通信端末から送信されてくる現在位置情報を受信処理する手段と、受信した前記現在位置情報と前記データベースに記憶された前記基準位置情報とを比較する手段と、前記基準地点に前記移動通信端末が近接したと判定したとき、前記移動通信端末へコール指令信号を送信制御してコールをさせる手段とを、前記コール発信装置に備えられるコンピュータに実現させる。
【発明の効果】
【００１４】
本発明によれば、移動通信端末と通信可能に接続されるコール発信装置に前述したように機能する位置判定手段を備えたので、利用者が目的地に接近した時のみにコールすることができる。したがって、到着時刻の変動により時機を逸した不要なコールを排除することができる。
【発明を実施するための最良の形態】
【００１５】
本発明の好適な実施形態について図面を参照しながら説明する。ここで、図１は、本発明の一実施形態によるコールシステム１の構成を表したブロック図である。図２は、図１に示す移動通信端末１０の記憶部１２に記憶される基準地点Ａ及び動作開始時刻Ｄ等のデータ構成の一例である。また、図３は、図１に示すコール発信装置２０のデータベース２３に構築される、移動通信端末１０ごとに設定された基準地点Ａ、動作開始時刻Ｄ及び通報先アドレス等のデータ構成の一例である。
【００１６】
本実施形態のコールシステム１は、利用者が予め登録設定した到着目的地（基準地点Ａ）を中心とする設定半径（通知開始距離Ｃ）内のコールエリア内に利用者が入ったとき、または前記コールエリア内でかつ基準地点Ａに利用者が接近したときに、コール発信装置２０が当該利用者が所持する移動通信端末１０にコール出力（単に「コール」という。）をさせることにより、利用者に注意を喚起するものである。ここで、基準地点Ａは、到着目的地でなくても、到着地へ向かう経路上における複数の経過地点（チェックポイント）であってもよい。
【００１７】
また、コール発信装置２０は、移動通信端末１０へのコールとともに特定の操作（これを「オペレーション」という。）を利用者に指示し、利用者が指示通りのオペレーションを行うかどうかで正常か異常かを確認する機能を有している。以下、本実施形態のコールシステム１の構成について詳細に説明する。
【００１８】
コールシステム１は、移動通信端末１０とコール発信装置２０とが図示しない移動体通信網（無線通信回線）を介して通信可能に接続されて構成される。
【００１９】
移動通信端末１０は、データ通信機能を備えた携帯電話、ＰＨＳ、ＰＤＡまたはモバイルコンピュータ等であり、利用者が持ち運ぶことが可能な携帯端末機器である。図１に示すように、移動通信端末１０は、情報入力手段１１と、記憶部１２と、位置情報取得部１３と、コール稼働部１５と、設定情報送信部１７と、位置情報送信部１８と、オペレーション送信部１９とを備えている。
【００２０】
ここで、設定情報送信部（設定情報送信手段）１７は、情報入力手段１１を介して利用者が入力した設定情報（動作初期条件）をコール発信装置２０へデータ送信する機能を備えている。
【００２１】
また、位置情報送信部（現在位置送信手段）１８は、位置情報取得部１３が取得した現在位置情報をコール発信装置２０へデータ送信する機能を備えている。また、移動通信端末１０の現在位置を本実施形態では特に「現地点Ｂ」と呼ぶ。
【００２２】
また、オペレーション送信部（実オペレーション送信手段）１９は、利用者が情報入力手段１１を操作して実際に入力したオペレーション（後述する「オペレーション実情報」）をコール発信装置２０へデータ送信する機能を備えている。
【００２３】
情報入力手段１１は、利用者によって操作されるテンキースイッチや入力モード等の選択スイッチから構成される。また、この情報入力手段１１は、移動通信端末１０に備えられる通話等の基本的な機能を利用者が選択操作するために用いられる他に、コールを作動させる動作開始時刻Ｄや到着目的地である基準地点Ａ等を設定するときや、コールと同時に指示されるオペレーションを利用者が入力するためにも用いられる。
【００２４】
すなわち、利用者は、外出に先立って上述の動作開始時刻Ｄ、到着目的地やチェックポイントである基準地点Ａの地番（駅、ビル、交差点等の周知なランドマーク名でもよい）、コールエリアの半径を定める基準地点Ａからの通知開始距離Ｃ、必要に応じて週間予約（毎日、月、火、水、木、金、土、日、１回限り等）、及び異常時の通報先アドレス等を、情報入力手段１１を介して移動通信端末１０に入力しておく。
【００２５】
記憶部１２は、ＲＡＭまたはフラッシュメモリ等の情報記憶媒体である。利用者が入力した上述の基準地点Ａの基準位置情報や動作開始時刻Ｄ等の設定情報を記憶部１２が記憶することにより、図２に示されるようなコールの起動に関する複数の設定条件（動作初期条件）が管理される。
【００２６】
設定情報送信部１７は、情報入力手段１１で入力され記憶部１２に管理された動作開始時刻Ｄ及び基準地点Ａ等の設定情報を図示しない移動体通信網を介してコール発信装置２０へデータ送信する。
【００２７】
位置情報取得部１３は、外部測位手段である複数のＧＰＳ衛星２からのＧＰＳ信号を受信し、それに含まれる時刻データや衛星の軌道データに基づいて、当該移動通信端末１０の現在位置情報を算出する。ここで、位置情報取得部１３は、外部測位手段としてデータ通信可能な近隣基地局のロケーションから現在位置情報を算出するものでもよい。
【００２８】
また、位置情報取得部１３は、動作開始時刻Ｄになると、例えば２〜３秒の周期で現在位置情報を算出し、位置情報送信部１８へ出力する。
【００２９】
位置情報送信部１８は、位置情報取得部１３から現在位置情報を受け取る毎に、移動体通信網を介してコール発信装置２０へ現在位置情報をデータ送信する。
【００３０】
コール稼働部１５は、ディスプレイ１５Ａと音声出力部１５Ｂとを備えている。このコール稼働部１５は、コール発信装置２０や他の移動通信端末から回線接続要求信号（「コール信号」または「コール指令信号」）を受信したときに、音声出力部１５Ｂを駆動して呼出音を出力することによりコールする。ここで、コールとは、コール稼働部１５が出力する呼出音の他、振動（バイブレーション）やＬＥＤ光などによる、利用者の知覚に訴える作用を有するものをいう。
【００３１】
また、コール稼働部１５は、コール発信装置２０から通話回線を通じ音声信号に変調されて送信されてくるオペレーション指示情報を文字列データに復調してディスプレイ１５Ａに表示する。
【００３２】
ここで、コール発信装置２０が送信するオペレーション指示情報は、例えば「もうすぐ目的地です！確認のため８、７、５の順に数字を入力してください」のような、簡単なオペレーションを利用者に指示する文字列によって構成される。
そして、オペレーション送信部１９は、利用者が情報入力手段１１を操作して実際に行ったオペレーション実情報をコール発信装置２０へデータ送信する処理を行う。このようなオペレーション指示動作の詳細については後述する。
【００３３】
次に、コール発信装置２０の構成を説明する。コール発信装置２０は、携帯電話会社が提供する移動体通信網を経由して移動通信端末１０とデータの送受信が可能な情報処理装置である。
【００３４】
コール発信装置２０は、緯度・経度算出部２１と、データベース更新部２２と、データベース２３とを備えている。
【００３５】
データベース２３には、全国各地の地番及び主要な駅、ビル、交差点等のランドマークに対し、それぞれ緯度・経度情報が対応付けられて記憶された図示しない変換マップデータが格納されている。
【００３６】
データベース更新部２２は、移動通信端末１０からデータ送信された上述の動作開始時刻Ｄ、基準地点Ａの基準位置情報、通知開始距離Ｃ、起動スケジュール及び通報先アドレス等の情報を、移動通信端末１０に予め個別に割り当てられている端末ＩＤに対応付けてデータベース２３に随時格納する。ただし、動作開始時刻Ｄ、基準位置情報等の初期条件は、一旦データベース２３に格納した後は更新しない。
【００３７】
緯度・経度算出部２１は、移動通信端末１０から受信した基準地点Ａの地番やランドマークの基準位置情報を、変換マップデータを参照することにより緯度・経度に変換しデータベース更新部２２に渡す。そして、データベース更新部２２は、変換した緯度・経度のデータを新たな基準位置情報としてデータベース２３に加える。
【００３８】
このようにして、データベース更新部２２が随時、データベース２３を更新することにより、図３に示されるように移動通信端末１０ごとの設定条件が検索可能に管理される。
【００３９】
また、コール発信装置２０は、位置判定手段２４と、コール送信部２５と、オペレーション送信部２６Ａと、オペレーション受信部２６Ｂと、オペレーション判定部２７と、メール通報判定部２８と、メール送信部２９とを備えている。
【００４０】
ここで、コール送信部２５は、本実施形態ではコール指令送信手段と同義である。
また、オペレーション送信部（指示オペレーション送信手段）２６Ａは、通話回線を介して後述のオペレーション指示情報を送信する機能を備えている。
【００４１】
また、オペレーション受信部（実オペレーション受信手段）２６Ｂは、通話回線を介して移動通信端末１０から送信されてくるオペレーション実情報を受信する機能を備えている。
【００４２】
また、本実施形態では、メール通報判定部２８とメール送信部２９とにより異常報知手段が構成される。
【００４３】
上述の緯度・経度算出部２１、データベース更新部２２、位置判定手段２４、コール送信部２５、オペレーション送信部２６Ａ、オペレーション受信部２６Ｂ、オペレーション判定部２７、メール通報判定部２８及びメール送信部２９は、実際上は、コール発信装置２０に備えられた図示しないコンピュータがプログラムに従って演算処理を実行することにより実現される。すなわち、これらの手段は、コール発信装置２０においてソフトウエアがコンピュータに読み込まれることにより、ソフトウエアとハードウエア資源とが協働してなる具体的手段として構成される。
【００４４】
また、これらの手段を実現させるプログラムは、図示しないＲＯＭ、ＲＡＭまたはＣＤ−ＲＯＭ等の情報記憶媒体に予め記憶されている。また、ネットワーク上の所定のサーバからこれらのプログラムをダウンロードして、コール発信装置２０のコンピュータに読み込ませてもよい。また、ソフトウエアでなくハードウエアロジック回路により構成したこれらの手段をコール発信装置２０に組み込む構成であってもよい
【００４５】
位置判定手段２４は、データベース２３で参照される動作開始時刻Ｄになると、移動通信端末１０から送信されてくる現地点Ｂの現在位置情報を受け取る。そして、データベース２３を参照して、基準地点Ａの緯度・経度と、移動通信端末１０の現地点Ｂの緯度・経度とを比較する。
【００４６】
位置判定手段２４は、これらを比較した結果、移動通信端末１０と基準地点Ａとの間の直線距離が通知開始距離Ｃ以下であり、かつ、受信した現在位置情報が示す現地点Ｂと基準地点Ａとの間の直線距離が、前回受信した現在位置情報が示す地点と基準地点Ａとの間の直線距離に対して短いと判断した場合に、基準地点Ａに移動通信端末１０が近接したと判定する。
【００４７】
コール送信部２５は、この位置判定手段２４によって移動通信端末１０が基準地点Ａに近接したと判定されると、コール指令信号を移動通信端末１０へ送信する。ここで、コール指令信号とは、移動通信端末１０へ通話回線接続を要求するコール信号のことをいう。なお、コール指令信号は、回線接続要求信号とは別にデータ送信される特定の指令信号であってもよい。
【００４８】
オペレーション送信部２６Ａは、コール指令信号が送信された後に、例えば所定の乱数アルゴリズムに基づいてランダムに選択したオペレーション指示情報を移動通信端末１０へ送信する。
【００４９】
本実施形態においては、上述したようにコール送信部２５が送信するコール指令信号に対し、利用者の移動通信端末１０が応答して通話接続がされた場合にオペレーション指示情報を送信する構成を有している。そして、オペレーション送信部２６Ａが図示しないモデムによりオペレーション指示情報を音声信号に変調して、通話回線を通じて接続している移動通信端末１０へオペレーション指示情報を送信する。
なお、オペレーション指示情報を本実施形態のように通話回線でなく、データ送信（パケット送信）によって移動通信端末１０へ送信する構成であってもよい。
【００５０】
オペレーション受信部２６Ｂは、移動通信端末１０のオペレーション送信部１９から送信されてくるオペレーション実情報を受信する。
【００５１】
オペレーション判定部２７は、オペレーション送信部２６Ａが送信しデータベース２３に格納されたオペレーション指示情報と、移動通信端末１０から送信されオペレーション受信部２６Ｂが受信したオペレーション実情報とを比較する。
【００５２】
メール通報判定部２８は、オペレーション指示情報とオペレーション実情報とが一致していないと判定した場合には、オペレーション異常の旨の電子メールを作成し、メール送信部２９に渡す。
また、メール通報判定部２８は、オペレーション送信部２６Ａがオペレーション指示情報を送信した後一定時間経過するまでオペレーション実情報を受信できなければ、タイムアウト異常の旨の電子メールを作成し、メール送信部２９に渡す。
また、メール通報判定部２８は、動作開始時刻Ｄになった後一定時間経過するまでに、移動通信端末１０から現地点Ｂの現在位置情報を受信できなかった場合には、アクセス異常の旨の電子メールを作成し、メール送信部２９に渡す。
【００５３】
上述の異常があった場合、メール送信部２９は、データベース２３を参照して登録された通報先の電子メールアドレスを取得する。そして、異常があった旨の電子メールを取得したこのアドレス先に送信する。
【００５４】
次に、本実施形態によるコールシステム１における処理手順（動作）を、図４〜図６に示されるフローチャートを参照しながら説明する。
【００５５】
はじめに、図４に基づいて、コールを作動させるための初期条件を設定する処理について説明する。
図４に示されるように、利用者は外出に先立ち、到着目的地である基準地点Ａの基準位置情報（地番や駅名など）と、コールを作動させる時刻である動作開始時刻Ｄを情報入力手段１１を介して移動通信端末１０に入力する（ステップＳ１）。また、必要に応じて、異常時の通報先アドレス等を移動通信端末１０に入力する。
【００５６】
移動通信端末１０は、コール発信装置２０との通信が可能かどうか試みる（ステップＳ２）。移動通信端末１０が通信圏外にある等の理由により、データ通信ができない状態のときには、再び設定情報の入力へ処理が戻る（ステップＳ２：ＮＯ）。
【００５７】
移動通信端末１０は、コール発信装置２０との通信を確立させると（ステップＳ２：ＹＥＳ）、利用者が入力した基準地点Ａ及び動作開始時刻Ｄ等の設定情報を記憶部１２に格納する（ステップＳ３）。これにより、例えば図２に示されるような設定情報のデータが記憶部１２に記憶される。
【００５８】
次いで移動通信端末１０は、設定された基準地点Ａ及び動作開始時刻Ｄ等の情報をコール発信装置２０へ送信する。コール発信装置２０は、受信した情報をデータベース２３に格納する（ステップＳ４）。これにより、コール発信装置２０において、例えば図３に示されるような設定条件が移動通信端末１０ごとに管理される。
【００５９】
次に、図５と図６に基づいて、動作開始時刻Ｄに起動されるコール処理について説明する。
移動通信端末１０は、記憶部１２で参照される動作開始時刻Ｄになると、位置情報取得部１３から現地点Ｂの現在位置情報を取得し、コール発信装置２０へ送信する（ステップＳ１１）。
【００６０】
コール発信装置２０は、移動通信端末１０から送信された現地点Ｂの現在位置情報を受信する（ステップＳ１２）。このとき、コール発信装置２０は、データベース２３を参照して得られる動作開始時刻Ｄになっても、移動通信端末１０から上述の現地点Ｂの情報を受信できないと判断した場合には（ステップＳ１３：ＮＯ）、移動通信端末１０が通信圏外にあるか、または電源が入っていないとみなして、アクセス異常の旨の電子メールを作成する。
【００６１】
そして、コール発信装置２０のメール送信部２９がデータベース２３に登録された通報先アドレスの移動通信端末へ電子メールを送信することにより、待ち合わせや面会を予定している相手方（他の利用者）にこの異常を通報する（ステップＳ１４）。
【００６２】
コール発信装置２０は、動作開始時刻Ｄである定時に移動通信端末１０から現地点Ｂの現在位置情報を受信した場合には（ステップＳ１３：ＹＥＳ）、データベース２３に現在位置情報を格納することで更新する（ステップＳ１５）。
【００６３】
次いで、コール発信装置２０は、データベース２３を参照して、基準地点Ａの基準位置情報に基づき変換マップデータを用いて変換した緯度・経度と、移動通信端末１０の現地点Ｂの緯度・経度を比較する（ステップＳ１６）。そして、コール発信装置２０は、基準地点Ａと移動通信端末１０の現地点Ｂとの距離が通知開始距離Ｃ以下、つまり移動通信端末１０がコールエリア内にあり（ステップＳ１６：ＹＥＳ）、更に、移動通信端末１０の現地点Ｂが前回地点よりも基準地点Ａに接近したと判定した場合には（ステップＳ１７：ＹＥＳ）、移動通信端末１０へコール指令信号を送信する（ステップＳ１８）。
【００６４】
コール発信装置２０は、移動通信端末１０がコールエリア外にあり（ステップＳ１６：ＮＯ）、コールエリア内であっても基準地点Ａに接近していないと判断した場合には（ステップＳ１７：、ＮＯ）、ステップＳ１２において次に送信されてくる現地点Ｂの位置情報の受信を待つ。
【００６５】
移動通信端末１０は、コール発信装置２０がステップＳ１８で発信したコール指令信号を受信する（ステップＳ１９）。そして、コール指令信号を受信したと判断すると（ステップＳ２０：ＹＥＳ）、音声出力部１５Ｂを駆動して呼出音を出力することで、利用者に目的地に近づいたことをコールする（ステップＳ２１）。
【００６６】
他方、コール指令信号を未だ受信しなければ（ステップＳ２０：ＮＯ）、ステップＳ１１へ戻り、再び位置情報取得部１３が現地点Ｂの現在位置情報を取得して、コール発信装置２０への送信を繰り返す（ステップＳ１１）。
【００６７】
コール発信装置２０は、発信したコール指令信号に対し移動通信端末１０が応答したとき、オペレーション指示情報を移動通信端末１０へ送信する（ステップＳ２２）。
【００６８】
そして、移動通信端末１０は、コール発信装置２０から送信されてくるオペレーション指示情報を受信する（ステップＳ２３）。
【００６９】
そして、移動通信端末１０は、受信したオペレーション指示情報を文字列としてディスプレイ１５Ａに表示することで、利用者にオペレーションを指示する（ステップＳ２４）。
【００７０】
移動通信端末１０は、オペレーションを指示した後、利用者によるオペレーションの操作入力を受け付ける（ステップＳ２５）。
【００７１】
そして、入力されたオペレーション実情報をコール発信装置２０へ送信する（ステップＳ２６）。
【００７２】
コール発信装置２０は、所定時間内にオペレーション実情報を受信できずタイムアウトと判断すると（ステップＳ２７：ＹＥＳ）、例えば「エリア内にいます御相手様にコールしましたが、時間内に応答を確認できませんでした」といった内容の電子メールを作成し、データベース２３に登録されたアドレス先の移動通信端末へ送信することにより、その相手方に異常を通報する（ステップＳ２８）。
【００７３】
また、コール発信装置２０は、オペレーションを指示した後、利用者から所定時間内にオペレーションがあったと判断すると（ステップＳ２７：ＮＯ）、指示したオペレーション指示情報と、利用者が行ったオペレーション実情報とを比較する（ステップＳ２９）。
【００７４】
利用者によるオペレーションが正確にされ、両者が一致していれば（ステップＳ３０：ＹＥＳ）、処理は終了する。オペレーションが一致しなければ（ステップＳ３０：ＮＯ）、例えば「エリア内にいます御相手様にコールしましたが、応答に異常がありました」といった内容の電子メールで、データベース２３に登録されたアドレス先の移動通信端末へ異常を通報する（ステップＳ３１）。
【００７５】
以上説明した本実施形態のコールシステム１によれば、目的地への到着時刻に変動があったとしても、常に到着直前にコールを行うことができる。これにより、時機を逸した不要なコールを抑制し、利用者の煩わしさを解消することができる。
また、利用者がコールに適切に反応しない場合には、面会や待ち合わせ等を予定している相手方にコール発信装置２０が電子メールでその旨を通報するため、相手方は当該利用者に生じた異常を事前に知ることができるようになる。
また、相手先と予め通知ルールを定めておくことで、例えば飲食店で顧客の到着に合わせて配膳の準備を開始したり、医療現場において急患到着前に体制を整えるといったことも可能となる。
【産業上の利用可能性】
【００７６】
本発明のように本人の意思では異常を報知できない状況下で電子メール等により自動的に相手方（他の利用者）に通報する技術的思想は、例えば予め行動計画が定められているような交通、運輸業等の安全管理システム、または大規模な構内で複数人が連携して作業を行うような作業現場における作業工程管理システム等への利用も考えられる。
【図面の簡単な説明】
【００７７】
【図１】本発明の一つの実施形態によるコールシステムの構成を表したブロック図である。
【図２】図１に示した移動通信端末の記憶部に記憶される基準地点及び動作開始時刻等のデータ構成の一例である。
【図３】図１に示したコール発信装置のデータベースに構築される、基準地点、動作開始時刻及び通報先アドレス等のデータ構成の一例である。
【図４】図１に示したコールシステムにおいて、コールを作動させる初期条件を設定する処理方法を示したフローチャートである。
【図５】図１に示したコールシステムにおいて、動作開始時刻に起動されるコール処理方法の一例を示したフローチャートである。
【図６】図１コールシステムにおいて、動作開始時刻に起動されるコール処理方法の一例を更に示したフローチャートである。
【符号の説明】
【００７８】
１  コールシステム
１０  移動通信端末
１１  情報入力手段
１２  記憶部
１３  位置情報取得部
１５  コール稼働部
１５Ａ  ディスプレイ
１５Ｂ  音声出力部
１７  設定情報送信部（設定情報送信手段）
１８  位置情報送信部（現在位置送信手段）
１９  オペレーション送信部（実オペレーション送信手段）
２０  コール発信装置
２３  データベース
２４  位置判定手段
２５  コール送信部（コール指令送信手段）
２６Ａ  オペレーション送信部（指示オペレーション送信手段）
２６Ｂ  オペレーション受信部（実オペレーション受信手段）
２７  オペレーション判定部（オペレーション判定手段）
２９  メール送信部（異常報知手段）
【図１】
2010011394.tif 000003
【図２】
2010011394.tif 000004
【図３】
2010011394.tif 000005
【図４】
2010011394.tif 000006
【図５】
2010011394.tif 000007
【図６】
2010011394.tif 000008